(57)【要約】【課題】  ランプの光学特性の向上、位置調整作業の精度の向上、耐久性の向上、作業性の向上を図る。【解決手段】  本発明は、ランプ２４の後端側に設けられるベース部材２５と、後端部がベース部材２５に固定され、ランプ２４の発光部２２より後端側の軸部２３の周囲に設けられる固定部材２６と、固定部材２６に固定され、ランプ２４の軸部２３を保持する締付け部材２７とを備え、締付け部材２７の固定部材２６に対する固定位置が軸部２３に垂直な方向に位置調整可能であり、且つ、締付け部材２７の軸部２３に対する保持位置が前後方向に位置調整可能に構成されている。【選択図】  図１ 
2005056683.tif 000002
【特許請求の範囲】
【請求項１】
ランプの後端側に設けられるベース部材と、
後端部が前記ベース部材に固定され、前記ランプの発光部より後端側の軸部の周囲に設けられる固定部材と、
該固定部材に固定され、前記ランプの軸部を保持する締付け部材と、
を備え、前記締付け部材の前記固定部材に対する固定位置が前記軸部に垂直な方向に位置調整可能であり、且つ、前記締付け部材の前記軸部に対する保持位置が前後方向に位置調整可能に構成されていることを特徴とするランプの支持構造。
【請求項２】
前記締付け部材は、前記ランプの軸部に沿って該軸部を保持する保持部と、該保持部に垂直なプレート部とを備え、前記固定部材は、前記ベース部材に固定される固定部と、前記プレート部と面接触可能な脚部とを備えている請求項１に記載のランプの支持構造。
【請求項３】
ランプの後端側に設けられるベース部材と、
後端部が前記ベース部材に固定され、前記ランプの発光部より後端側の軸部の周囲に設けられる固定部材と、
該固定部材に固定され、前記ランプの軸部を保持する締付け部材と、
を備え、前記締付け部材の保持部は、一対の対向プレートから成り、前記ランプの軸部を挟持する中央湾曲部と、該中央湾曲部から側方に形成され、端部に前記一対の対向プレートの折返し部を有する第一側部と、前記中央湾曲部から前記第１側部の反対側に形成され、端部に前記一対の対向プレート同士を固定する固定部を有する第２側部とを備え、前記固定部材の脚部は前記ランプの軸部に沿って複数設けられ、前記各脚部間に間隙が形成され、前記保持部の第１側部及び第２側部が前記間隙に配置されるように構成され、
前記締付け部材の前記固定部材に対する固定位置が前記軸部に垂直な方向に位置調整可能に構成されていることを特徴とするランプの支持構造。
【請求項４】
ランプの後端側に設けられる熱可塑性樹脂製のベース部材と、
後端側外周部に突起部が設けられ、該突起部と前記ベース部材の内壁とのウェルダー溶着により前記ベース部材に固定され、前記ランプの発光部より後端側の軸部の周囲に設けられる固定部材と、
該固定部材に固定され、前記ランプの軸部を保持する締付け部材と、
を備え、前記締付け部材の前記固定部材に対する固定位置が前記軸部に垂直な方向に位置調整可能であり、且つ、前記締付け部材の前記軸部に対する保持位置が前後方向に位置調整可能に構成されていることを特徴とするランプの支持構造。
【請求項５】
ランプの後端側に設けられ、係止孔を有するベース部材と、
該ベース部材の係止孔に貫通可能且つ係止可能に形成された後端部の係止部により前記ベース部材に固定され、前記ランプの発光部より後端側の軸部の周囲に設けられる固定部材と、
該固定部材に固定され、前記ランプの軸部を保持する締付け部材と、
を備え、前記締付け部材の前記固定部材に対する固定位置が前記軸部に垂直な方向に位置調整可能に構成されていることを特徴とするランプの支持構造。
【請求項６】
前記固定部材の係止部は、くびれ部と該くびれ部の先端側に形成された矢尻形状の幅広部とを備え、該幅広部が前記係止孔に係止可能に構成されている請求項５に記載のランプの支持構造。
【請求項７】
前記固定部材の係止部は、先端を切り起した形状をなし、切り起し端部が前記係止孔に係止可能に構成されている請求項５に記載のランプの支持構造。
【請求項８】
ランプの後端側において該ランプを支持するベース部材には、前記ランプ側と外側とを連通する通気孔が貫設されていることを特徴とするランプの支持構造。
【請求項９】
前記通気孔に半透膜が設けられている請求項８に記載のランプ支持構造。
【請求項１０】
前記通気孔の内部には下部に仕切部が形成され、該仕切部により前記通気孔内の液体の流通が妨げられるように構成されている請求項８又は請求項９に記載のランプの支持構造。
【請求項１１】
ランプの後端側において該ランプを支持するベース部材と、
該ベース部材の後面を覆うように該ベース部材に固定されるキャップ部材と、
前記ベース部材及び前記キャップ部材の外側に固定され、ランプの発光部からの光を反射可能なリフレクターを有するハウジングと、
を備え、前記キャップ部材には、内外方向に弾性変形可能な摘み部が後方に形成され、該摘み部の外側に前記ハウジングと係止可能な係止部が設けられ、前記摘み部の内側方向への変形により、前記キャップ部材と前記ハウジングとの係止状態が解除可能に構成されていることを特徴とするランプの支持構造。
【発明の詳細な説明】
【技術分野】
【０００１】
本発明は、車両用放電灯等のランプの支持構造に関する。
【背景技術】
【０００２】
一般に、自動車、プロジェクター、半導体製造装置等において使用されるランプにおいては、光源からの光をリフレクターにより所定方向に正確に反射させる必要がある。そのため、ランプには光源及びリフレクターの取付姿勢を調整可能なように支持する構造が装備されている必要がある。
【０００３】
図１１及び図１２は、自動車用ランプの支持構造の従来例を示している。このランプの支持構造は、軸状の放電管１の後端側に接続されるキャップ部材（図示せず）と、後端側が前記キャップ部材の凹部（図示せず）に固定される固定部材２と、固定部材２の前端側に固定される締付け部材３とから概略構成されている。
締付け部材３は、図１２に示されているように、一対の対向プレート４から成り、中央に円筒状の挟持部５が形成され、両端部にそれぞれ折曲部６及び固定部７が形成され、挟持部５により放電管１の後端側軸部８を挟持可能となっている。
【０００４】
固定部材２には、前端側に第１舌状部９が形成され、第１舌状部９が締付け部材３の挟持部５の外周面に溶接接合されることにより、締付け部材３が固定部材２に固定されるようになっている。また、固定部材２の後端側には第２舌状部１０が形成され、第２舌状部１０の後端部１１は外側前方に折り返され、内外方向に弾性変形可能となっている。そして、第２舌状部１０の後端部１１が前記キャップ部材の凹部に押し込まれることにより、固定部材２が前記キャップ部材に固定されるようになっている（例えば、特許文献１参照）。
【０００５】
また、図１３は、自動車用ランプの支持構造の別の従来例を示している。このランプの支持構造は、バルブ１２の後端側に設けられた口金部分１３と、口金部分１３が嵌設可能なリフレクター１４のホルダー部１５と、口金部分１３の後端側に設けられた防水カバー１６とから概略構成されている。そして、ホルダー部１５に口金部分１３を嵌設させ、ホルダー部１５に取付けられた押さえ用ばね１７により口金部分１３を押さえることにより、リフレクター１４がホルダー部分１５を介して口金部分１３に固定されるようになっている。また、防水カバー１６の筒状部１８が口金部分１３に嵌着することにより、口金部分１３が防水カバー１６に固定されるようになっている（例えば、特許文献２参照）。
【０００６】
【特許文献１】特許第３１５９７４０号公報
【特許文献２】実開平４−３８６０２号公報
【発明の開示】
【発明が解決しようとする課題】
【０００７】
上述したように、発光部からの光をリフレクターにより所定方向に反射させるためには、リフレクターに対して発光部を所定位置に配置する必要がある。ところが、上記した前者の従来例では、放電管１の中央部に形成された発光部（図示せず）の位置調整は、前記キャップ部材の凹部に対する第２舌状部１０の後端部１１の押し込み具合を調整することにより行っていた。そのため、放電管１の後端側を支点として、放電管１が軸方向に対して傾いた状態で固定されることがあり、その場合には、前記発光部内の対向する電極も軸方向に対して傾いてしまい、電極間での放電作用により発光する放電管１が所定の光学特性を発揮できなくなるおそれがあった。また、前記発光部の位置調整に手間が掛かり、発光部の位置調整の作業精度を向上させることが難しいといった問題もあった。さらに、第２舌状部１０の後端部１１を前記キャップ部材の凹部に押し込むことにより放電管１を固定する構成となっているため、第２舌状部１０の前記キャップ部材に対する固定状態を目視により確認することができず、放電管１を前記キャップ部材に確実に固定することが難しく、また、第２舌状部の後端部１１により前記キャップ部材の内側が損傷され易く、該キャップ部材の耐久性が低下するおそれがあった。
【０００８】
一方、後者の従来例では、リフレクター１４はホルダー部材１５に別個に設けられた押さえ用ばね１７により固定されるように構成されているため、車内の狭いスペースで行うには作業性が悪いといった問題があった。
【０００９】
本発明は、上記した課題を解決すべくなされたものであり、ランプの光学特性の向上、位置調整作業の精度の向上、耐久性の向上、作業性の向上を図ることのできるランプの支持構造を提供するものである。
【課題を解決するための手段】
【００１０】
本発明は、ランプの後端側に設けられるベース部材と、後端部が前記ベース部材に固定され、前記ランプの発光部より後端側の軸部の周囲に設けられる固定部材と、該固定部材に固定され、前記ランプの軸部を保持する締付け部材とを備え、前記締付け部材の前記固定部材に対する固定位置が前記軸部に垂直な方向に位置調整可能であり、且つ、前記締付け部材の前記軸部に対する保持位置が前後方向に位置調整可能に構成されている。
【００１１】
好ましくは、前記締付け部材は、前記ランプの軸部に沿って該軸部を保持する保持部と、該保持部に垂直なプレート部とを備え、前記固定部材は、前記ベース部材に固定される固定部と、前記プレート部と面接触可能な脚部とを備えている。
【００１２】
また、本発明は、ランプの後端側に設けられるベース部材と、後端部が前記ベース部材に固定され、前記ランプの発光部より後端側の軸部の周囲に設けられる固定部材と、該固定部材に固定され、前記ランプの軸部を保持する締付け部材とを備え、前記締付け部材の保持部は、一対の対向プレートから成り、前記ランプの軸部を挟持する中央湾曲部と、該中央湾曲部から側方に形成され、端部に前記一対の対向プレートの折返し部を有する第一側部と、前記中央湾曲部から前記第１側部の反対側に形成され、端部に前記一対の対向プレート同士を固定する固定部を有する第２側部とを備え、前記固定部材の脚部は前記ランプの軸部に沿って複数設けられ、前記各脚部間に間隙が形成され、前記保持部の第１側部及び第２側部が前記間隙に配置されるように構成され、前記締付け部材の前記固定部材に対する固定位置が前記軸部に垂直な方向に位置調整可能に構成されていることを特徴とする。
【００１３】
さらに、本発明は、ランプの後端側に設けられる熱可塑性樹脂製のベース部材と、後端側外周部に突起部が設けられ、該突起部と前記ベース部材の内壁とのウェルダー溶着により前記ベース部材に固定され、前記ランプの発光部より後端側の軸部の周囲に設けられる固定部材と、該固定部材に固定され、前記ランプの軸部を保持する締付け部材とを備え、前記締付け部材の前記固定部材に対する固定位置が前記軸部に垂直な方向に位置調整可能であり、且つ、前記締付け部材の前記軸部に対する保持位置が前後方向に位置調整可能に構成されている。
【００１４】
さらにまた、本発明は、ランプの後端側に設けられ、係止孔を有するベース部材と、該ベース部材の係止孔に貫通可能且つ係止可能に形成された後端部の係止部により前記ベース部材に固定され、前記ランプの発光部より後端側の軸部の周囲に設けられる固定部材と、該固定部材に固定され、前記ランプの軸部を保持する締付け部材とを備え、前記締付け部材の前記固定部材に対する固定位置が前記軸部に垂直な方向に位置調整可能に構成されている。
【００１５】
好ましくは、前記固定部材の係止部は、くびれ部と該くびれ部の先端側に形成された矢尻形状の幅広部とを備え、該幅広部が前記係止孔に係止可能に構成されている。
【００１６】
また、前記固定部材の係止部は、先端を切り起した形状をなし、切り起し端部が前記係止孔に係止可能に構成されていてもよい。
【００１７】
さらにまた、本発明は、  ランプの後端側において該ランプを支持するベース部材には、前記ランプ側と外側とを連通する通気孔が貫設されている。
【００１８】
好ましくは、前記通気孔に半透膜が設けられている。
【００１９】
また、前記通気孔の内部には下部に仕切部が形成され、該仕切部により前記通気孔内の液体の流通が妨げられるように構成されていてもよい。
【００２０】
さらに、本発明は、ランプの後端側において該ランプを支持するベース部材と、該ベース部材の後面を覆うように該ベース部材に固定されるキャップ部材と、前記ベース部材及び前記キャップ部材の外側に固定され、ランプの発光部からの光を反射可能なリフレクターを有するハウジングとを備え、前記キャップ部材には、内外方向に弾性変形可能な摘み部が後方に形成され、該摘み部の外側に前記ハウジングと係止可能な係止部が設けられ、前記摘み部の内側方向への変形により、前記キャップ部材と前記ハウジングとの係止状態が解除可能に構成されている。
【発明の効果】
【００２１】
本発明によれば、ランプの光学特性の向上、位置調整作業の精度の向上、耐久性の向上、作業性の向上を図ることができる。
【発明を実施するための最良の形態】
【００２２】
以下、図面を参照しつつ、本発明の実施の形態について説明する。図１は本実施の形態に係るランプの支持構造の一例として放電灯の断面を示しており、図２はその背面図である。この放電灯２１は、中央部に発光部２２が形成され、後端側に軸部２３が形成された細長形状の放電管２４と、放電管２４の後端側に設けられたベース部材２５と、後端側がベース部材２５に固定され、軸部２３の周囲に設けられる固定部材２６と、固定部材２６に固定され、放電管２４の軸部２３を保持する締付け部材２７と、ベース部材２５の後面を覆うようにベース部材２５に固定されるキャップ部材２８と、ベース部材２５及びキャップ部材２８の外側に固定されるハウジング２９とを備え、ハウジング２９には放電管２４の発光部２２からの光を反射可能なようにリフレクター３０が設けられている。
【００２３】
放電管２４の発光部２２には、一対の電極（図示せず）が前後方向に所定の間隔を隔てて対向して配置され、前記各電極にはそれぞれ前後方向にリード線３１，３２が接続されている。前端側のリード線３１は、放電管２４の前端部において後方に折り返された後、放電管２４に沿って延出し、ベース部材２５及びキャップ部材２８内を通ってケーブル（図示せず）に接続され、リード線３１の延出部分３３は絶縁体３４により覆われている。また、後端側のリード線３２は放電管２４の後端部からベース部材２５及びキャップ部材２８内を通ってケーブル（図示せず）に接続されている。
【００２４】
ベース部材２５は熱可塑性樹脂製であり、図３に示されているように、中心部に後端側のリード線３２が挿通可能な第１挿通孔３５が穿設され、第１挿通孔３５の下方には前端側のリード線３１が挿通可能な第２挿通孔３６が穿設されている。ベース部材２５には、第１挿通孔３５の両側の対向する位置にスリット状の係止孔３７が穿設され、前面側には係止孔３７と直交する方向にスリット状の係合溝（図示せず）が対向して形成されている。また、ベース部材２５には、第２挿通孔３６の上方より横にずれた位置に放電管２４側と外側とを連通する通気孔３８が穿設されており、例え、外部から通気孔３８内に雨水等の液体が浸入したとしても、その液体が第２挿通孔３６を挿通するリード線３２上に滴下しないようになっている。好ましくは、通気孔３８には半透膜３９が設けられ、通気孔３８は気体の流通を許容するが、液体の流通を阻止するように構成されている。そして、通気孔３８の内部には下部に半円状の仕切板４０が設けられ、外部から通気孔３８内への液体の浸入を阻止するようになっている。また、ベース部材２５の後面には第１挿通孔３５及び第２挿通孔３６の周りにそれぞれ仕切り壁４１，４２が突設され、リード線３１，３２同士が干渉し合わないようになっている。さらに、ベース部材２５の周壁４３には、位置決め溝４４及び所要数の固定孔（図示せず）が穿設されている。
【００２５】
図４及び図５に示されているように、固定部材２６は、金属板を屈曲させることにより略角筒状に形成された筒部４６を備えている。そして、筒部４６から後方へは係止部４７及び係合部４８がそれぞれ対向するように延出しており、係止部４７は係合部４８より長く延出している。係止部４７はベース部材２５の係止孔３７に挿通可能に形成され、くびれ部４９と、くびれ部４９の先端側の幅広部５０とから形成されている。係合部４８はベース部材２５の前記係合溝に係合可能に形成され、先端は二股状に形成されている。また、筒部４６から前方へは放電管２４の軸部２３に沿うように４本の脚部５１が形成され、脚部５１間に間隙５２が形成され、脚部５１の先端は外側に直角に屈曲し、接合面４５が形成されている。
【００２６】
図６及び図７に示されているように、締付け部材２７は金属板を屈曲させることにより形成され、放電管２４の軸部２３に沿って軸部２３を保持する保持部５３と、保持部５３の前端側において保持部５３に垂直なプレート部５４とから構成されている。保持部５３は一対の対向プレート５５から成り、軸部２３を挟持する中央湾曲部５６と、中央湾曲部５６から側方に形成された第１側部５７と、中央湾曲部５６から第１側部５７の反対側に形成された第２側部５８とを備えている。第１側部５７の端部には一対の対向プレート５５の折返し部５９が形成され、第２側部５８の端部には一対の対向プレート５５同士を接合する固定部６０が形成されている。また、保持部５３の中央湾曲部５６とプレート部５４の内周部との間には湾曲したスリット状の逃げ部６１が形成され、さらに、保持部５３の下側外周部には半円形状の欠込み部６２が形成されている。
【００２７】
図２に良く示されているように、キャップ部材２８には後方に向かって凹部６３が形成され、凹部６３にはベース部材２５の第１及び第２挿通孔３５，３６に対応する位置にそれぞれ第３挿通孔６４及び第４挿通孔６５が穿設されている。また、凹部６３には通気部６６が後方に突設され、通気部６６の後端下部は開口されている。キャップ部材２８の外周部には、上部に欠切部６７が形成され、所要箇所に突起部（図示せず）が形成されている。また、キャップ部材２８の両側部には後方に延出する摘み部６８が形成され、摘み部６８は両側部に形成されたスリット溝６９により内外方向に容易に弾性変形可能となっている。さらに、摘み部６８の外側にはハウジング２９に係止可能な係止突部７０が設けられ、摘み部６８の内側方向への変形により、キャップ部材２８とハウジング２９との係止状態が解除可能となっている。したがって、キャップ部材２８のハウジング２９に対する着脱作業は極めて容易に行うことができる。
【００２８】
次に、主に図１及び図８を参照しつつ、本実施の形態に係るランプの支持構造の組立方法を説明する。
【００２９】
図８（ｂ）に示すように、ベース部材２５の係止孔３７に固定部材２６の係止部４７を挿入させると共に係合部４８を前記係合溝に係合させ、図８（ｃ）に示すように、幅広部５０を略９０度回転させる。幅広部５０は係止部４７の幅より広く形成されているため、幅広部５０が係止部４７に係止し、固定部材２６はベース部材２５に固定される。そして、リード線３２の延出部分３３がプレート部５４の欠込み部６２に位置するように、放電管２４の軸部２３を締付け部材２７の保持部５３により保持させ、各リード線３１，３２をそれぞれベース部材２５の第１挿通孔３５、第２挿通孔３６に挿通させる。軸部２３に対する締付け部材２７の前後方向の保持位置を調整後、固定部６０において一対の対向プレート５５をスポット溶接により接合させ、放電管２４を締付け部材２７に固定させる。次に、脚部５１の接合面４５にプレート部５４の後面を接触させた状態で、締付け部材２７を軸部２３に垂直な方向にスライドさせ、発光部２２が所定位置に来るように位置調整した後、接合面４５とプレート部５４の後面とを溶接接合させる。この時、保持部５３の第１及び第２側部５７，５８はそれぞれ脚部５１間に間隙５２に配置されるため、保持部５３と脚部５１とが干渉し合うことはない。
【００３０】
このように、発光部２２の前後方向の位置調整と軸部２３に垂直な方向の位置調整をそれぞれ別々に行うことができるので、放電管２４が傾いた状態でベース部材２５に固定されることがなく、放電管２４の光学特性が損なわれる虞がない。また、発光部２２の設置位置の調整作業が簡素化され、取付け精度の向上を図ることができる。さらに、固定部材２６のベース部材２５に対する固定状態、及び締付け部材２７の固定部材２６に対する固定状態を目視により確認することができるため、放電管２４をベース部材２５に確実に固定することができ、また、ベース部材２５に過度の力が作用することもなく、ベース部材２５の耐久性が低下することもない。
【００３１】
その後、各リード線３１，３２の第１及び第２挿通孔３５，３６の挿通箇所をシールし、位置決め溝４４に欠切部６７を係合させ、前記突起部を前記固定孔に嵌挿し、ベース部材２５の後面側にキャップ部材２８を装着させる。そして、キャップ部材２８の摘み部６８の係止突部７０をハウジング２９に係止させ、ハウジング２９にキャップ部材２８、ベース部材２５、放電管２４等を取り付ける。
【００３２】
なお、固定部材２６の係止部４７は、上記した形状、構造に限定されるものではなく、例えば、図９に示されているように、先端を切り起した形状の係止部７１であってもよく、この場合、係止部７１は係止孔３７に挿入後、切り起し端部７２が係止孔３７に係止可能なように構成されている。
【００３３】
また、図１０に示されているように、固定部材７３をウェルダー溶着によりベース部材２５に固定するように構成させてもよい。この場合、固定部材７３の後端側外周部に所要数の突起部７４が設けられ、この突起部７４とベース部材２５の内壁とがウェルダー溶着される。
【００３４】
さらに、上記実施の形態では、締付け部材２７の一対の対向プレート５５は固定部６０においてスポット溶接により接合されているが、着脱可能なように一方の対向プレート５５を他方の対向プレート５５に係合させる等、他の接合方法により固定させてもよい。
さらにまた、通気部６６は、必ずしも後方に突出している必要はなく、キャップ部材２８の後面と同一面上に形成されていてもよい。
また、上記実施の形態では、放電管２４の支持構造について説明したが、これは単なる例示に過ぎず、本発明は、放電管２４の外側にアウター管が設けられている場合、或いは、白熱灯、ＬＥＤ等、他のランプの支持構造にも適用可能である。
【００３５】
さらに、上記実施の形態では、固定部材２６の筒部４６は略角筒状を成しているが、固定部材の形状は上記した形状に限定されるものではなく、例えば、図１１に示されているように、筒部４６を略円筒状に形成させる等、他の形状としてもよい。また、固定部材２６の脚部５１の設置数は４本に限らず、例えば、図１２に示されているように、２本の脚部５１を対向するように設けてもよい。
【００３６】
さらにまた、締付け部材２７のプレート部５４は上記した形状に限定されるものではなく、例えば、図１３に示されているように、第１及び第２側部５７，５８側にだけ形成させ、中央湾曲部５６側には形成させないようにしてもよい。
【００３７】
さらに、キャップ部材２８の摘み部６８は、図１４に示されているように、凹部６３の外面からハウジング２９の内面に沿うように湾曲された腕部７５の先端部に形成されていてもよい。この場合、腕部７５が内側方向に弾性変形することにより摘み部６８の係止突部７０とハウジング２９との係止状態が解除されるようになっており、キャップ部材２８のハウジング２９に対する着脱作業は極めて容易に行うことができる。
【図面の簡単な説明】
【００３８】
【図１】本発明の実施の形態を示す断面図である。
【図２】本発明の実施の形態を示す背面図である。
【図３】本発明の実施の形態におけるベース部材を示す背面図である。
【図４】本発明の実施の形態における固定部材を示す平面図である。
【図５】本発明の実施の形態における固定部材を示す側面図である。
【図６】本発明の実施の形態における締付け部材を示す平面図である。
【図７】本発明の実施の形態における締付け部材を示す側面図である。
【図８】（ａ）〜（ｃ）は本発明の実施の形態における固定部材の係止部の係止方法を示す断面図である。
【図９】（ａ）及び（ｂ）は本発明の実施の形態における固定部材の別の係止部における係止方法を示す断面図である。
【図１０】本発明の実施の形態における固定部材のベース部材に対する別の固定方法を示す断面図である。
【図１１】本発明の実施の形態における固定部材の別の例を示す平面図である。
【図１２】本発明の実施の形態における固定部材のさらに別の例を示す平面図である。
【図１３】本発明の実施の形態における締付け部材の別の例を示す平面図である。
【図１４】本発明の実施の形態におけるキャップ部材の別の例を示す背面図である。
【図１５】従来例を示す側面図である。
【図１６】従来例を示す平面図である。
【図１７】他の従来例を示す断面図である。
【符号の説明】
【００３９】
２１          放電灯
２２          発光部
２３          軸部
２４          放電管
２５          ベース部材
２６          固定部材
２７          締付け部材
２８          キャップ部材
２９          ハウジング
３０          リフレクター
３７          係止孔
３８          通気孔
３９          半透膜
４０          仕切板
４７          係止部
４９          くびれ部
５０          幅広部
５１          脚部
５２          間隙
５３          保持部
５４          プレート部
５５          対向プレート
５６          中央湾曲部
５７          第１側部
５８          第２側部
５９          折り返し部
６０          固定部
６８          摘み部
７０          係止突部
７１          係止部
７２          切り起し端部
７３          固定部材
７４          突起部
【図１】
2005056683.tif 000003
【図２】
2005056683.tif 000004
【図３】
2005056683.tif 000005
【図４】
2005056683.tif 000006
【図５】
2005056683.tif 000007
【図６】
2005056683.tif 000008
【図７】
2005056683.tif 000009
【図８】
2005056683.tif 000010
【図９】
2005056683.tif 000011
【図１０】
2005056683.tif 000012
【図１１】
2005056683.tif 000013
【図１２】
2005056683.tif 000014
【図１３】
2005056683.tif 000015
【図１４】
2005056683.tif 000016
【図１５】
2005056683.tif 000017
【図１６】
2005056683.tif 000018
【図１７】
2005056683.tif 000019